(57)【特許請求の範囲】
【請求項１】
コンクリート構造物間の目地部に跨って配置される可撓性の伸縮継手の両端縁部の碇着部を、押え部材を介してアンカーボルトに固定される固定部材で押えて取り付ける可撓性伸縮継手を仮固定するに際し、
前記アンカーボルトに固定部本体を固定し、この固定部本体に回動可能に設けられた押えアーム部の先端押圧部を前記可撓性伸縮継手に当てて押えるとともに、この押えアーム部による押圧状態を保持して仮固定するようにしたことを特徴とする可撓性伸縮継手の仮固定方法。
【請求項２】
コンクリート構造物間の目地部に跨って配置される可撓性の伸縮継手の両端縁部の碇着部を、押え部材を介してアンカーボルトに固定される固定部材で押えて取り付ける可撓性伸縮継手を仮固定するに際し、
前記アンカーボルトに固定部本体を固定し、この固定部本体に設けた押えアーム部の先端押圧部を前記可撓性伸縮継手に当てて押えるとともに、この押えアーム部による押圧状態を保持して仮固定するようにしたことを特徴とする可撓性伸縮継手の仮固定方法。
【請求項３】
前記押えアーム部は、前記押え部材を設置するための空間をあけて先端押圧部で前記可撓性伸縮継手を押えるようにしたことを特徴とする請求項１または２記載の可撓性伸縮継手の仮固定方法。
【請求項４】
前記押えアーム部による押圧状態の保持をトグルリンク機構またはばねによる付勢手段で行うようにしたことを特徴とする請求項１〜３のいずれかに記載の可撓性伸縮継手の仮固定方法。
【請求項５】
前記固定部本体を、反アンカーボルト側が開口したコ字状に構成してアンカーボルトに固定するようにしたことを特徴とする請求項２記載の可撓性伸縮継手の仮固定方法。
【請求項６】
前記固定部本体の開口部の両側または押えアームの両側のいずれか一方に長孔または複数の孔を形成するようにし、押えアームの位置を可撓性伸縮継手の厚みに応じて調整して固定するようにしたことを特徴とする請求項５記載の可撓性伸縮継手の仮固定方法。
【請求項７】
前記固定部本体に固定した前記押えアームで前記可撓性伸縮継手の側端部を押圧して仮固定するようにしたことを特徴とする請求項２記載の可撓性伸縮継手の仮固定方法。
【請求項８】
コンクリート構造物間の目地部に跨って配置される可撓性の伸縮継手の両端縁部の碇着部を、押え部材を介してアンカーボルトに固定される固定部材で押えて取り付ける可撓性伸縮継手を仮固定するに際し、
前記アンカーボルトに固定部本体を固定し、この固定部本体と押えアームとをばねで傾動および上下に可動に連結し、当該押えアームの先端部で前記可撓性伸縮継手を押えるとともに、この押え部による押圧状態を保持して仮固定するようにしたことを特徴とする可撓性伸縮継手の仮固定方法。
【請求項９】
コンクリート構造物間の目地部に跨って配置される可撓性の伸縮継手の両端縁部の碇着部を、押え部材を介してアンカーボルトに固定される固定部材で押えて取り付ける可撓性伸縮継手を仮固定するに際し、
前記アンカーボルトに前記可撓性伸縮継手を跨ぐ門型に構成した支柱部と連結部とを備えた固定部本体の両端支柱部を固定し、この固定部本体の連結部から突き出した押え部で当該可撓性伸縮継手を押えるとともに、この押え部による押圧状態を保持して仮固定するようにしたことを特徴とする可撓性伸縮継手の仮固定方法。
【請求項１０】
前記固定部本体の支柱部をＬ字状に構成するとともに、この支柱部または連結部のいずれか一方に形成した長孔に前記連結部の位置を前記可撓性伸縮継手の厚みに応じて調整して固定するようにしたことを特徴とする請求項９記載の可撓性伸縮継手の仮固定方法。
【請求項１１】
前記固定部本体の連結部と前記押え部とのいずれか一方に形成した長孔に前記押え部の位置を前記可撓性伸縮継手の厚みに応じて調整して固定するようにしたことを特徴とする請求項９記載の可撓性伸縮継手の仮固定方法。
【請求項１２】
コンクリート構造物間の目地部に跨って配置される可撓性の伸縮継手の両端縁部の碇着部を、押え部材を介してアンカーボルトに固定される固定部材で押えて取り付ける可撓性伸縮継手を仮固定するに際し、
前記アンカーボルトに固定部本体を固定し、この固定部本体に設けたねじ部材に押えアームを前記アンカーボルトと平行な軸周りに回動可能に設け、この押えアームに取り付けたハンドルで当該押えアームを回動してその先端部で前記可撓性伸縮継手を押えるとともに、この押え部による押圧状態を保持して仮固定するようにしたことを特徴とする可撓性伸縮継手の仮固定方法。
【請求項１３】
コンクリート構造物間の目地部に跨って配置される可撓性の伸縮継手の両端縁部の碇着部を、押え部材を介してアンカーボルトに固定される固定部材で押えて取り付ける可撓性伸縮継手の仮固定用治具であって、
前記アンカーボルトに固定される固定部本体と、この固定部本体に基端部が回動可能に設けられ先端部に前記可撓性伸縮継手を押える押圧部を備える押えアーム部と、この押えアーム部を回動操作して押圧部による押圧状態を保持・開放する押圧保持開放手段とを備えてなることを特徴とする可撓性伸縮継手の仮固定用治具。
【請求項１４】
コンクリート構造物間の目地部に跨って配置される可撓性の伸縮継手の両端縁部の碇着部を、押え部材を介してアンカーボルトに固定される固定部材で押えて取り付ける可撓性伸縮継手の仮固定用治具であって、
前記アンカーボルトに固定される固定部本体と、この固定部本体に基端部が固定され先端部に前記可撓性伸縮継手を押える押圧部を備える押えアーム部とを備えてなることを特徴とする可撓性伸縮継手の仮固定用治具。
【請求項１５】
前記押えアーム部は、前記碇着部を押える前記押え部材を跨いで前記可撓性伸縮継手を押える空間を備えた略門型形状に形成したことを特徴とする請求項１３または１４記載の可撓性伸縮継手の仮固定用治具。
【請求項１６】
前記押圧保持開放手段を、トグルリンク機構で構成し操作レバーの回動操作で押圧状態と開放とを操作可能としたことを特徴とする請求項１３記載の可撓性伸縮継手の仮固定用治具。
【請求項１７】
前記押圧保持開放手段を、前記押えアーム部を押圧方向に付勢する付勢手段で構成し、付勢力で押圧状態を保持するとともに、付勢力に抗して開放操作可能としたことを特徴とする請求項１３記載の可撓性伸縮継手の仮固定用治具。
【請求項１８】
前記押えアーム部を、２本のアーム部材で構成し、これらアーム部材の先端のそれぞれに両内側または両外側に突き出して前記押圧部を設けたことを特徴とする請求項１３〜１７のいずれかに記載の可撓性伸縮継手の仮固定用治具。
【請求項１９】
前記固定部本体を、反アンカーボルト側が開口したコ字状に形成してアンカーボルトに固定可能に構成したことを特徴とする請求項１４記載の可撓性伸縮継手の仮固定用治具。
【請求項２０】
前記固定部本体の開口部の両側または押えアームの両側のいずれか一方に長孔または複数の孔を形成し、これら長孔または複数の穴に当該押えアームの位置を可撓性伸縮継手の厚みに応じて調整可能に構成したことを特徴とする請求項１９記載の可撓性伸縮継手の仮固定用治具。
【請求項２１】
前記固定部本体に固定した前記押えアームを、前記可撓性伸縮継手の側端部を押圧して仮固定可能に構成したことを特徴とする請求項１４記載の可撓性伸縮継手の仮固定用治具。
【請求項２２】
コンクリート構造物間の目地部に跨って配置される可撓性の伸縮継手の両端縁部の碇着部を、押え部材を介してアンカーボルトに固定される固定部材で押えて取り付ける可撓性伸縮継手の仮固定用治具であって、
前記アンカーボルトに固定される固定部本体と、この固定部本体にばねで傾動および上下に可動に連結された押えアームとを備えて構成され、当該押えアームの先端部で前記可撓性伸縮継手を押えるとともに、この押え部による押圧状態を保持して仮固定することを特徴とする可撓性伸縮継手の仮固定用治具。
【請求項２３】
コンクリート構造物間の目地部に跨って配置される可撓性の伸縮継手の両端縁部の碇着部を、押え部材を介してアンカーボルトに固定される固定部材で押えて取り付ける可撓性伸縮継手の仮固定用治具であって、
前記可撓性伸縮継手を跨ぐ一対の前記アンカーボルト間に固定される支柱部およびこれら支柱部に連結される連結部とを備えた門型の固定部本体と、この固定部本体の連結部から突き出した押え部とを備えて構成され、当該押え部で前記可撓性伸縮継手を押えるとともに、この押え部による押圧状態を保持して仮固定することを特徴とする可撓性伸縮継手の仮固定用治具。
【請求項２４】
前記固定部本体の支柱部をＬ字状に形成するとともに、この支柱部または前記連結部のいずれか一方に長孔を形成して当該連結部の位置を前記可撓性伸縮継手の厚みに応じて調整して固定可能に構成したことを特徴とする請求項２３記載の可撓性伸縮継手の仮固定用治具。
【請求項２５】
前記固定部本体の連結部と前記押え部とのいずれか一方に形成した長孔に前記押え部の位置を前記可撓性伸縮継手の厚みに応じて調整して固定可能に構成したことを特徴とする請求項２３記載の可撓性伸縮継手の仮固定用治具。
【請求項２６】
コンクリート構造物間の目地部に跨って配置される可撓性の伸縮継手の両端縁部の碇着部を、押え部材を介してアンカーボルトに固定される固定部材で押えて取り付ける可撓性伸縮継手の仮固定用治具であって、
前記アンカーボルトに固定される固定部本体と、この固定部本体に設けたねじ部材に前記アンカーボルトと平行な軸周りに回動可能に設けられる押えアームと、この押えアームに取り付けたハンドルとを備え、このハンドルで前記押えアームを回動してその先端部で前記可撓性伸縮継手を押えるとともに、この押え部による押圧状態を保持して仮固定可能に構成したことを特徴とする可撓性伸縮継手の仮固定用治具。
【発明の詳細な説明】
【技術分野】
【０００１】
この発明は、可撓性伸縮継手の仮固定方法およびこれに用いる仮固定用治具に関し、コンクリートで構築される水路、水処理施設、トンネル、共同溝などのコンクリート構造物の目地部に、アンカーボルトで直接固定しない可撓性伸縮継手を、天面部や側面部などに設置する場合の仮固定を簡単にできるようにしたものである。
【背景技術】
【０００２】
コンクリートで構築されるコンクリート構造物である水路や水槽あるいは共同溝等の地中に構築される暗渠などの壁部分の目地部には、内外を止水するとともにその両側のコンクリート構造物の不等沈下や地震時変位並びに温度変化等に起因する壁部分の伸縮等を許容する必要があり、コンクリート構造物の内側にゴムや合成樹脂の止水板などの可撓性伸縮継手を設けた可撓止水構造が採られている。
【０００３】
このような可撓止水構造として、例えば特許文献１に開示された止水構造があり、図１６に示すように、弾性材と一層以上の応力材を埋設した目地材１の中程にＵ型の溝状の余長部２を形成するとともに、両側に係止部３，３を形成して目地材１を構成する一方、コンクリート構造物４，４間の目地部５に形成した凹部６に目地材１の余長部２を納め、両側の係止部３、３をコンクリート構造物４，４に埋設固定したアンカーボルト７と押え板８を介して取り付けるようにしている。これにより、コンクリート構造物４，４の内側への目地材１の突き出しをなくし、水路とする場合の流れの抵抗を防止する。
【０００４】
このような止水構造は、新たにコンクリート構造物を構築する場合だけでなく、既存のコンクリート構造物に設けることで耐震補強を行うために施工されたり、交換・補修のために施工される。
【０００５】
ところが、この止水構造を既設の暗渠などのコンクリート構造物に施工しようとすると、目地材１を固定するアンカーボルト７をコンクリート構造物４，４に穿孔して取り付ける必要があるが、コンクリート構造物４，４の鉄筋に当たる場合があり、穿孔位置をずらしてアンカーボルト７を取り付けなければならないことも多い。
このため、アンカーボルト７の取り付けが終わった段階で現場でボルトピッチなどを測定し、その結果に合わせて押え板８、目地材１などの製作及び孔加工を行う必要があり、製作や孔加工が煩雑であり、工期も長くなるという問題がある。
【０００６】
そこで、アンカーボルトの取り付け位置にかかわらず、あらかじめ必要な部材を製作しておくことができ、簡単に可撓止水部材を施工することができる可撓止水構造を提案しており（特許文献２，３）、例えば特許文献２の可撓止水構造１０では、図１７に示すように、コンクリート構造物１１，１１間の目地部１２に跨って配置される可撓性の伸縮部１３ａを備えた可撓性伸縮継手１３の両端部の碇着部１３ｂに押え部材１７を当て、アンカーボルト１４で中間部１８ｃが支持固定される固定部材１８の先端部１８ａで押え部材１７を押えるとともに、基端部１８ｂをコンクリート構造物１１に当てるようにすることで、アンカーボルト１４の取付位置にかかわらず、所定の位置で押え部材１７を押えて可撓性伸縮継手１３を取り付けることができるようにしている。
【先行技術文献】
【特許文献】
【０００７】
【特許文献１】特開２０００−６４４４６号公報
【特許文献２】特開２００８−２８０７４８号公報
【特許文献３】特開２０１０−１５０８０７号公報
【発明の開示】
【発明が解決しようとする課題】
【０００８】
このような可撓止水構造１０によれば、アンカーボルトの取り付け位置にかかわらず、予め必要な部材を製作しておくことができるものの、直接アンカーボルトで可撓性伸縮継手を固定しないことから、施工の際、アンカーボルトを利用して仮固定することができず、特に、天面部や側面部へ取り付ける場合には、作業者が持ち上げた状態で碇着部に押え部材を当て、アンカーボルトに取り付けた固定部材で押え部材を押えるようにしなければならず、多くの作業者が必要で施工に手間がかかり作業効率が悪いという問題がある。
一方、作業者が持ち上げた状態で、平板や紐などを両側のアンカーボルトに掛け渡して可撓性伸縮継手を仮に固定することも考えられるが、碇着部に当てる押え部材を設置しようとすると、平板や紐などが邪魔になり、これらを取り外して押え部材のための設置スペースを確保する必要が生じ、平板や紐などによる仮固定を開放しなければならないという問題がある。
さらに、可撓性伸縮継手は幅方向にある程度自由に伸縮するため、設置幅を管理するための作業も必要となり、一層作業効率が悪化するという問題もある。
【０００９】
この発明は、かかる従来技術に鑑みてなされたものであって、効率良く天面部や側面部に仮固定することができ、本固定の作業の邪魔になることもなく、所定の位置に仮固定することができる可撓性伸縮継手の仮固定方法およびこれに用いる仮固定治具を提供しようとするものである。
【課題を解決するための手段】
【００１０】
上記課題を解決するためこの発明の請求項１記載の可撓性伸縮継手の仮固定方法は、コンクリート構造物間の目地部に跨って配置される可撓性の伸縮継手の両端縁部の碇着部を、押え部材を介してアンカーボルトに固定される固定部材で押えて取り付ける可撓性伸縮継手を仮固定するに際し、
前記アンカーボルトに固定部本体を固定し、この固定部本体に回動可能に設けられた押えアーム部の先端押圧部を前記可撓性伸縮継手に当てて押えるとともに、この押えアーム部による押圧状態を保持して仮固定するようにしたことを特徴とするものである。
【００１１】
この発明の請求項２記載の可撓性伸縮継手の仮固定方法は、コンクリート構造物間の目地部に跨って配置される可撓性の伸縮継手の両端縁部の碇着部を、押え部材を介してアンカーボルトに固定される固定部材で押えて取り付ける可撓性伸縮継手を仮固定するに際し、
前記アンカーボルトに固定部本体を固定し、この固定部本体に設けた押えアーム部の先端押圧部を前記可撓性伸縮継手に当てて押えるとともに、この押えアーム部による押圧状態を保持して仮固定するようにしたことを特徴とするものである。
【００１２】
この発明の請求項３記載の可撓性伸縮継手の仮固定方法は、請求項１または２記載の構成に加え、前記押えアーム部は、前記押え部材を設置するための空間をあけて先端押圧部で前記可撓性伸縮継手を押えるようにしたことを特徴とするものである。
【００１３】
この発明の請求項４記載の可撓性伸縮継手の仮固定方法は、請求項１〜３のいずれかに記載の構成に加え、前記押えアーム部による押圧状態の保持をトグルリンク機構またはばねによる付勢手段で行うようにしたことを特徴とするものである。
【００１４】
この発明の請求項５記載の可撓性伸縮継手の仮固定方法は、請求項2記載の構成に加え、前記固定部本体を、反アンカーボルト側が開口したコ字状に構成してアンカーボルトに固定するようにしたことを特徴とするものである。
【００１５】
この発明の請求項６記載の可撓性伸縮継手の仮固定方法は、請求項５記載の構成に加え、前記固定部本体の開口部の両側または押えアームの両側のいずれか一方に長孔または複数の孔を形成するようにし、押えアームの位置を可撓性伸縮継手の厚みに応じて調整して固定するようにしたことを特徴とするものである。
【００１６】
この発明の請求項７記載の可撓性伸縮継手の仮固定方法は、請求項2記載の構成に加え、前記固定部本体に固定した前記押えアームで前記可撓性伸縮継手の側端部を押圧して仮固定するようにしたことを特徴とするものである。
【００１７】
この発明の請求項８記載の可撓性伸縮継手の仮固定方法は、コンクリート構造物間の目地部に跨って配置される可撓性の伸縮継手の両端縁部の碇着部を、押え部材を介してアンカーボルトに固定される固定部材で押えて取り付ける可撓性伸縮継手を仮固定するに際し、
前記アンカーボルトに固定部本体を固定し、この固定部本体と押えアームとをばねで傾動および上下に可動に連結し、当該押えアームの先端部で前記可撓性伸縮継手を押えるとともに、この押え部による押圧状態を保持して仮固定するようにしたことを特徴とするものである。
【００１８】
この発明の請求項９記載の可撓性伸縮継手の仮固定方法は、コンクリート構造物間の目地部に跨って配置される可撓性の伸縮継手の両端縁部の碇着部を、押え部材を介してアンカーボルトに固定される固定部材で押えて取り付ける可撓性伸縮継手を仮固定するに際し、
前記アンカーボルトに前記可撓性伸縮継手を跨ぐ門型に構成した支柱部と連結部とを備えた固定部本体の両端支柱部を固定し、この固定部本体の連結部から突き出した押え部で当該可撓性伸縮継手を押えるとともに、この押え部による押圧状態を保持して仮固定するようにしたことを特徴とするものである。
【００１９】
この発明の請求項１０記載の可撓性伸縮継手の仮固定方法は、請求項９記載の構成に加え、前記固定部本体の支柱部をＬ字状に構成するとともに、この支柱部または連結部のいずれか一方に形成した長孔に前記連結部の位置を前記可撓性伸縮継手の厚みに応じて調整して固定するようにしたことを特徴とするものである。
【００２０】
この発明の請求項１１記載の可撓性伸縮継手の仮固定方法は、請求項９記載構成に加え、前記固定部本体の連結部と前記押え部とのいずれか一方に形成した長孔に前記押え部の位置を前記可撓性伸縮継手の厚みに応じて調整して固定するようにしたことを特徴とするものである。
【００２１】
この発明の請求項１２記載の可撓性伸縮継手の仮固定方法は、コンクリート構造物間の目地部に跨って配置される可撓性の伸縮継手の両端縁部の碇着部を、押え部材を介してアンカーボルトに固定される固定部材で押えて取り付ける可撓性伸縮継手を仮固定するに際し、
前記アンカーボルトに固定部本体を固定し、この固定部本体に設けたねじ部材に押えアームを前記アンカーボルトと平行な軸周りに回動可能に設け、この押えアームに取り付けたハンドルで当該押えアームを回動してその先端部で前記可撓性伸縮継手を押えるとともに、この押え部による押圧状態を保持して仮固定するようにしたことを特徴とするものである。
【００２２】
この発明の請求項１３記載の可撓性伸縮継手の仮固定用治具は、コンクリート構造物間の目地部に跨って配置される可撓性の伸縮継手の両端縁部の碇着部を、押え部材を介してアンカーボルトに固定される固定部材で押えて取り付ける可撓性伸縮継手の仮固定用治具であって、
前記アンカーボルトに固定される固定部本体と、この固定部本体に基端部が回動可能に設けられ先端部に前記可撓性伸縮継手を押える押圧部を備える押えアーム部と、この押えアーム部を回動操作して押圧部による押圧状態を保持・開放する押圧保持開放手段とを備えてなることを特徴とするものである。
【００２３】
この発明の請求項１４記載の可撓性伸縮継手の仮固定用治具は、コンクリート構造物間の目地部に跨って配置される可撓性の伸縮継手の両端縁部の碇着部を、押え部材を介してアンカーボルトに固定される固定部材で押えて取り付ける可撓性伸縮継手の仮固定用治具であって、
前記アンカーボルトに固定される固定部本体と、この固定部本体に基端部が固定され先端部に前記可撓性伸縮継手を押える押圧部を備える押えアーム部とを備えてなることを特徴とするものである。
【００２４】
この発明の請求項１５記載の可撓性伸縮継手の仮固定用治具は、請求項１３または１４記載の構成に加え、前記押えアーム部は、前記碇着部を押える前記押え部材を跨いで前記可撓性伸縮継手を押える空間を備えた略門型形状に形成したことを特徴とするものである。
【００２５】
この発明の請求項１６記載の可撓性伸縮継手の仮固定用治具は、請求項１３記載の構成に加え、前記押圧保持開放手段を、トグルリンク機構で構成し操作レバーの回動操作で押圧状態と開放とを操作可能としたことを特徴とするものである。
【００２６】
この発明の請求項１７記載の可撓性伸縮継手の仮固定用治具は、請求項１３記載の構成に加え、前記押圧保持開放手段を、前記押えアーム部を押圧方向に付勢する付勢手段で構成し、付勢力で押圧状態を保持するとともに、付勢力に抗して開放操作可能としたことを特徴とするものである。
【００２７】
この発明の請求項１８記載の可撓性伸縮継手の仮固定用治具は、請求項１3〜１７のいずれかに記載の構成に加え、前記押えアーム部を、2本のアーム部材で構成し、これらアーム部材の先端のそれぞれに両内側または両外側に突き出して前記押圧部を設けたことを特徴とするものである。
【００２８】
この発明の請求項１９記載の可撓性伸縮継手の仮固定用治具は、請求項１4記載の構成に加え、前記固定部本体を、反アンカーボルト側が開口したコ字状に形成してアンカーボルトに固定可能に構成したことを特徴とするものである。
【００２９】
この発明の請求項２０記載の可撓性伸縮継手の仮固定用治具は、請求項１９記載の構成に加え、前記固定部本体の開口部の両側または押えアームの両側のいずれか一方に長孔または複数の孔を形成し、これら長孔または複数の穴に当該押えアームの位置を可撓性伸縮継手の厚みに応じて調整可能に構成したことを特徴とするものである。
【００３０】
この発明の請求項２１記載の可撓性伸縮継手の仮固定用治具は、請求項１4記載の構成に加え、前記固定部本体に固定した前記押えアームを、前記可撓性伸縮継手の側端部を押圧して仮固定可能に構成したことを特徴とするものである。
【００３１】
この発明の請求項２２記載の可撓性伸縮継手の仮固定用治具は、コンクリート構造物間の目地部に跨って配置される可撓性の伸縮継手の両端縁部の碇着部を、押え部材を介してアンカーボルトに固定される固定部材で押えて取り付ける可撓性伸縮継手の仮固定用治具であって、
前記アンカーボルトに固定される固定部本体と、この固定部本体にばねで傾動および上下に可動に連結された押えアームとを備えて構成され、当該押えアームの先端部で前記可撓性伸縮継手を押えるとともに、この押え部による押圧状態を保持して仮固定することを特徴とするものである。
【００３２】
この発明の請求項２３記載の可撓性伸縮継手の仮固定用治具は、コンクリート構造物間の目地部に跨って配置される可撓性の伸縮継手の両端縁部の碇着部を、押え部材を介してアンカーボルトに固定される固定部材で押えて取り付ける可撓性伸縮継手の仮固定用治具であって、
前記可撓性伸縮継手を跨ぐ一対の前記アンカーボルト間に固定される支柱部およびこれら支柱部に連結される連結部とを備えた門型の固定部本体と、この固定部本体の連結部から突き出した押え部とを備えて構成され、当該押え部で前記可撓性伸縮継手を押えるとともに、この押え部による押圧状態を保持して仮固定することを特徴とするものである。
【００３３】
この発明の請求項２４記載の可撓性伸縮継手の仮固定用治具は、請求項２３記載の構成に加え、前記固定部本体の支柱部をＬ字状に形成するとともに、この支柱部または前記連結部のいずれか一方に長孔を形成して当該連結部の位置を前記可撓性伸縮継手の厚みに応じて調整して固定可能に構成したことを特徴とするものである。
【００３４】
この発明の請求項２５記載の可撓性伸縮継手の仮固定用治具は、請求項２３記載の構成に加え、前記固定部本体の連結部と前記押え部とのいずれか一方に形成した長孔に前記押え部の位置を前記可撓性伸縮継手の厚みに応じて調整して固定可能に構成したことを特徴とするものである。
【００３５】
この発明の請求項２６記載の可撓性伸縮継手の仮固定用治具は、コンクリート構造物間の目地部に跨って配置される可撓性の伸縮継手の両端縁部の碇着部を、押え部材を介してアンカーボルトに固定される固定部材で押えて取り付ける可撓性伸縮継手の仮固定用治具であって、
前記アンカーボルトに固定される固定部本体と、この固定部本体に設けたねじ部材に前記アンカーボルトと平行な軸周りに回動可能に設けられる押えアームと、この押えアームに取り付けたハンドルとを備え、このハンドルで前記押えアームを回動してその先端部で前記可撓性伸縮継手を押えるとともに、この押え部による押圧状態を保持して仮固定可能に構成したことを特徴とするものである。
【発明の効果】
【００３６】
この発明の請求項１記載の可撓性伸縮継手の仮固定方法によれば、コンクリート構造物間の目地部に跨って配置される可撓性の伸縮継手の両端縁部の碇着部を押え部材を介してアンカーボルトに固定される固定部材で押えて取り付ける可撓性伸縮継手を仮固定するに際し、前記アンカーボルトに固定部本体を固定し、この固定部本体に回動可能に設けられた押えアーム部の先端押圧部を前記可撓性伸縮継手に当てて押えるとともに、この押えアーム部による押圧状態を保持して仮固定するようにしたので、アンカーボルトに固定した固定本体部に取り付けた押えアーム部を回動して先端押圧部を当てて可撓性伸縮継手を押え、この状態を保持することで、仮固定状態にすることができ、天井部や側面部に対して、アンカーボルトで直接固定しない可撓性伸縮継手であっても、簡単に仮固定することができ、作業効率良く施工することができる。また、固定本体部に当てることや固定位置を規準とすることにより伸縮継手の設置幅を規制管理することができる。
【００３７】
この発明の請求項２記載の可撓性伸縮継手の仮固定方法によれば、コンクリート構造物間の目地部に跨って配置される可撓性の伸縮継手の両端縁部の碇着部を、押え部材を介してアンカーボルトに固定される固定部材で押えて取り付ける可撓性伸縮継手を仮固定するに際し、前記アンカーボルトに固定部本体を固定し、この固定部本体に設けた押えアーム部の先端押圧部を前記可撓性伸縮継手に当てて押えるとともに、この押えアーム部による押圧状態を保持して仮固定するようにしたので、アンカーボルトに固定した固定本体部に取り付けた押えアーム部の先端押圧部を当てて可撓性伸縮継手を押えることで、仮固定状態にすることができ、天井部や側面部に対して、アンカーボルトで直接固定しない可撓性伸縮継手であっても、簡単に仮固定することができ、作業効率良く施工することができる。また、固定本体部に当てることや固定位置を規準とすることにより伸縮継手の設置幅を規制管理することができる。
【００３８】
この発明の請求項３記載の可撓性伸縮継手の仮固定方法によれば、前記押えアーム部は、前記押え部材を設置するための空間をあけて先端押圧部で前記可撓性伸縮継手を押えるようにしたので、押えアーム部を、碇着部に当てる押え部材の設置スペースを考慮した形状とすることで、本固定のための作業の邪魔にならず仮固定から円滑に所定の固定状態にすることができる。
【００３９】
この発明の請求項４記載の可撓性伸縮継手の仮固定方法によれば、前記押えアーム部による押圧状態の保持をトグルリンク機構またはばねによる付勢手段で行うようにしたので、押えアームによる押圧状態をリンク機構やばねによる付勢力で保持することができ、仮固定が簡単にできるとともに、設置後の開放も簡単に行うことができる。
【００４０】
この発明の請求項５記載の可撓性伸縮継手の仮固定方法によれば、前記固定部本体を、反アンカーボルト側が開口したコ字状に構成してアンカーボルトに固定するようにしたので、紐などを用いる場合に比べてアンカーボルトに簡単に固定して可撓性伸縮継手を仮固定することができるとともに、固定部本体で可撓性伸縮継手を位置決めすることができる。
【００４１】
この発明の請求項６記載の可撓性伸縮継手の仮固定方法によれば、前記固定部本体の開口部の両側または押えアームの両側のいずれか一方に長孔または複数の孔を形成するようにし、押えアームの位置を可撓性伸縮継手の厚みに応じて調整して固定するようにしたので、長孔または複数の孔を用いて押えアームの位置を調整することができ、可撓性伸縮継手の厚みに柔軟に対応することができる。
【００４２】
この発明の請求項７記載の可撓性伸縮継手の仮固定方法によれば、前記固定部本体に固定した前記押えアームで前記可撓性伸縮継手の側端部を押圧して仮固定するようにしたので、可撓性伸縮継手の碇着部などの側端部を仮固定することで、可撓性伸縮継手の本来の固定作業のための空間を確保することができる。
【００４３】
この発明の請求項８記載の可撓性伸縮継手の仮固定方法によれば、コンクリート構造物間の目地部に跨って配置される可撓性の伸縮継手の両端縁部の碇着部を、押え部材を介してアンカーボルトに固定される固定部材で押えて取り付ける可撓性伸縮継手を仮固定するに際し、前記アンカーボルトに固定部本体を固定し、この固定部本体と押えアームとをばねで傾動および上下に可動に連結し、当該押えアームの先端部で前記可撓性伸縮継手を押えるとともに、この押え部による押圧状態を保持して仮固定するようにしたので、固定部材と押えアームとがバネで連結してあるので、アンカーボルトに固定するだけで簡単に可撓性伸縮継手を仮固定することができ、厚みに対し調整する必要もない。
【００４４】
この発明の請求項９記載の可撓性伸縮継手の仮固定方法によれば、コンクリート構造物間の目地部に跨って配置される可撓性の伸縮継手の両端縁部の碇着部を、押え部材を介してアンカーボルトに固定される固定部材で押えて取り付ける可撓性伸縮継手を仮固定するに際し、前記アンカーボルトに前記可撓性伸縮継手を跨ぐ門型に構成した支柱部と連結部とを備えた固定部本体の両端支柱部を固定し、この固定部本体の連結部から突き出した押え部で当該可撓性伸縮継手を押えるとともに、この押え部による押圧状態を保持して仮固定するようにしたので、門型の固定部本体を可撓性伸縮継手を跨ぐように取り付けて押え部で押えることで、一層確実に押えて仮固定することができるとともに、両側の取付位置を簡単に位置決めをすることができる。
【００４５】
この発明の請求項１０記載の可撓性伸縮継手の仮固定方法によれば、前記固定部本体の支柱部をＬ字状に構成するとともに、この支柱部または連結部のいずれか一方に形成した長孔に前記連結部の位置を前記可撓性伸縮継手の厚みに応じて調整して固定するようにしたので、支柱部に対する連結部の位置を調整することができ、可撓性伸縮継手の厚みに柔軟に対応することができる。
【００４６】
この発明の請求項１１記載の可撓性伸縮継手の仮固定方法によれば、前記固定部本体の連結部と前記押え部とのいずれか一方に形成した長孔に前記押え部の位置を前記可撓性伸縮継手の厚みに応じて調整して固定するようにしたので、連結部に対する押え部の位置を調整することができ、可撓性伸縮継手の厚みに柔軟に対応することができる。
【００４７】
この発明の請求項１２記載の可撓性伸縮継手の仮固定方法によれば、コンクリート構造物間の目地部に跨って配置される可撓性の伸縮継手の両端縁部の碇着部を、押え部材を介してアンカーボルトに固定される固定部材で押えて取り付ける可撓性伸縮継手を仮固定するに際し、前記アンカーボルトに固定部本体を固定し、この固定部本体に設けたねじ部材に押えアームを前記アンカーボルトと平行な軸周りに回動可能に設け、この押えアームに取り付けたハンドルで当該押えアームを回動してその先端部で前記可撓性伸縮継手を押えるとともに、この押え部による押圧状態を保持して仮固定するようにしたので、固定部本体をアンカーボルトに固定した後、ハンドルを回動することで可撓性伸縮継手を押えて仮固定することができ、一層簡単に操作することができる。
【００４８】
この発明の請求項１３記載の可撓性伸縮継手の仮固定用治具によれば、コンクリート構造物間の目地部に跨って配置される可撓性の伸縮継手の両端縁部の碇着部を、押え部材を介してアンカーボルトに固定される固定部材で押えて取り付ける可撓性伸縮継手の仮固定用治具であって、前記アンカーボルトに固定される固定部本体と、この固定部本体に基端部が回動可能に設けられ先端部に前記可撓性伸縮継手を押える押圧部を備える押えアーム部と、この押えアーム部を回動操作して押圧部による押圧状態を保持・開放する押圧保持開放手段とを備えてなるので、この仮固定治具によりアンカーボルトに固定した固定本体部に取り付けた押えアーム部を回動して先端押圧部を当てて可撓性伸縮継手を押え、この状態を保持することで、仮固定状態にすることができ、天井部や側面部に対して、アンカーボルトで直接固定しない可撓性伸縮継手であっても、簡単に仮固定することができ、作業効率良く施工することができる。また、固定本体部に当てることや固定位置を規準とすることにより伸縮継手の設置幅を規制管理することができる。
【００４９】
この発明の請求項１４記載の可撓性伸縮継手の仮固定用治具によれば、コンクリート構造物間の目地部に跨って配置される可撓性の伸縮継手の両端縁部の碇着部を、押え部材を介してアンカーボルトに固定される固定部材で押えて取り付ける可撓性伸縮継手の仮固定用治具であって、前記アンカーボルトに固定される固定部本体と、この固定部本体に基端部が固定され先端部に前記可撓性伸縮継手を押える押圧部を備える押えアーム部とを備えているので、この仮固定治具によりアンカーボルトに固定した固定本体部に取り付けた押えアーム部の先端押圧部を当てて可撓性伸縮継手を押え、この状態を保持することで、仮固定状態にすることができ、天井部や側面部に対して、アンカーボルトで直接固定しない可撓性伸縮継手であっても、簡単に仮固定することができ、作業効率良く施工することができる。また、固定本体部に当てることや固定位置を規準とすることにより伸縮継手の設置幅を規制管理することができる。
【００５０】
この発明の請求項１５記載の可撓性伸縮継手の仮固定用治具によれば、前記押えアーム部は、前記碇着部を押える前記押え部材を跨いで前記可撓性伸縮継手を押える空間を備えた略門型形状に形成したので、押えアーム部を略門型形状とすることで、碇着部を押える押え部材を跨いで可撓性伸縮継手を仮固定することができ、押える空間を利用することで、本固定のための作業の邪魔にならず仮固定から円滑に所定の固定状態にすることができる。
【００５１】
この発明の請求項１６記載の可撓性伸縮継手の仮固定用治具によれば、前記押圧保持開放手段を、トグルリンク機構で構成し操作レバーの回動操作で押圧状態と開放とを操作可能としたので、操作レバーを回動操作するだけで仮固定状態に保持したり、開放して取り外すことができ、作業効率良く施工することができる。
【００５２】
この発明の請求項１７記載の可撓性伸縮継手の仮固定用治具によれば、前記押圧保持開放手段を、前記押えアーム部を押圧方向に付勢する付勢手段で構成し、付勢力で押圧状態を保持するとともに、付勢力に抗して開放操作可能としたので、押えアーム部を押圧保持開放する手段をばねなどの付勢力を用いる付勢手段とすることで、締付け力などを必要とせず、簡単に仮固定状態を保持できるとともに、開放も付勢力に抗して操作することで簡単に行うことができる。
【００５３】
この発明の請求項１８記載の可撓性伸縮継手の仮固定用治具によれば、前記押えアーム部を、２本のアーム部材で構成し、これらアーム部材の先端のそれぞれに両内側または両外側に突き出して前記押圧部を設けたので、押えアーム部を２本のアーム部材とその両側に突き出した押圧部とすることで、仮固定部の面積を増大でき、一層確実に仮固定することができる。
【００５４】
この発明の請求項１９記載の可撓性伸縮継手の仮固定用治具によれば、前記固定部本体を、反アンカーボルト側が開口したコ字状に形成してアンカーボルトに固定可能に構成したので、紐などを用いる場合に比べてアンカーボルトに簡単に固定して可撓性伸縮継手を仮固定することができるとともに、固定部本体で可撓性伸縮継手を位置決めすることができる。
【００５５】
この発明の請求項２０記載の可撓性伸縮継手の仮固定用治具によれば、前記固定部本体の開口部の両側または押えアームの両側のいずれか一方に長孔または複数の孔を形成し、これら長孔または複数の穴に当該押えアームの位置を可撓性伸縮継手の厚みに応じて調整可能に構成したので、長孔または複数の孔を用いて押えアームの位置を調整することができ、可撓性伸縮継手の厚みに柔軟に対応することができる。
【００５６】
この発明の請求項２１記載の可撓性伸縮継手の仮固定用治具によれば、前記固定部本体に固定した前記押えアームを、前記可撓性伸縮継手の側端部を押圧して仮固定可能に構成したので、可撓性伸縮継手の碇着部などの側端部を仮固定することで、可撓性伸縮継手の本来の固定作業のための空間を確保することができる。
【００５７】
この発明の請求項２２記載の可撓性伸縮継手の仮固定用治具によれば、コンクリート構造物間の目地部に跨って配置される可撓性の伸縮継手の両端縁部の碇着部を、押え部材を介してアンカーボルトに固定される固定部材で押えて取り付ける可撓性伸縮継手の仮固定用治具であって、前記アンカーボルトに固定される固定部本体と、この固定部本体にばねで傾動および上下に可動に連結された押えアームとを備えて構成され、当該押えアームの先端部で前記可撓性伸縮継手を押えるとともに、この押え部による押圧状態を保持して仮固定するので、固定部材と押えアームとがバネで連結してあるので、アンカーボルトに固定するだけで簡単に可撓性伸縮継手を仮固定することができ、厚みに対し調整する必要もない。
【００５８】
この発明の請求項２３記載の可撓性伸縮継手の仮固定用治具によれば、コンクリート構造物間の目地部に跨って配置される可撓性の伸縮継手の両端縁部の碇着部を、押え部材を介してアンカーボルトに固定される固定部材で押えて取り付ける可撓性伸縮継手の仮固定用治具であって、前記可撓性伸縮継手を跨ぐ一対の前記アンカーボルト間に固定される支柱部およびこれら支柱部に連結される連結部とを備えた門型の固定部本体と、この固定部本体の連結部から突き出した押え部とを備えて構成され、当該押え部で前記可撓性伸縮継手を押えるとともに、この押え部による押圧状態を保持して仮固定するので、門型の固定部本体を可撓性伸縮継手を跨ぐように取り付けて押え部で押えることで、一層確実に押えて仮固定することができるとともに、両側の取付位置を簡単に位置決めをすることができる。
【００５９】
この発明の請求項２４記載の可撓性伸縮継手の仮固定用治具によれば、前記固定部本体の支柱部をＬ字状に形成するとともに、この支柱部または前記連結部のいずれか一方に長孔を形成して当該連結部の位置を前記可撓性伸縮継手の厚みに応じて調整して固定可能に構成したので、支柱部に対する連結部の位置を調整することができ、可撓性伸縮継手の厚みに柔軟に対応することができる。
【００６０】
この発明の請求項２５記載の可撓性伸縮継手の仮固定用治具によれば、前記固定部本体の連結部と前記押え部とのいずれか一方に形成した長孔に前記押え部の位置を前記可撓性伸縮継手の厚みに応じて調整して固定可能に構成したので、連結部に対する押え部の位置を調整することができ、可撓性伸縮継手の厚みに柔軟に対応することができる。
【００６１】
この発明の請求項２６記載の可撓性伸縮継手の仮固定用治具によれば、コンクリート構造物間の目地部に跨って配置される可撓性の伸縮継手の両端縁部の碇着部を、押え部材を介してアンカーボルトに固定される固定部材で押えて取り付ける可撓性伸縮継手の仮固定用治具であって、前記アンカーボルトに固定される固定部本体と、この固定部本体に設けたねじ部材に前記アンカーボルトと平行な軸周りに回動可能に設けられる押えアームと、この押えアームに取り付けたハンドルとを備え、このハンドルで前記押えアームを回動してその先端部で前記可撓性伸縮継手を押えるとともに、この押え部による押圧状態を保持して仮固定可能に構成したので、固定部本体をアンカーボルトに固定した後、ハンドルを回動することで可撓性伸縮継手を押えて仮固定することができ、一層簡単に操作することができる。
【図面の簡単な説明】
【００６２】
【図１】この発明の可撓性伸縮継手の仮固定治具の一実施の形態にかかる概略斜視図である。
【図２】この発明の可撓性伸縮継手の仮固定治具の一実施の形態にかかる仮固定方法の説明斜視図である。
【図３】この発明の可撓性伸縮継手の仮固定治具の一実施の形態にかかる仮固定状態の側面図である。
【図４】この発明の可撓性伸縮継手の仮固定治具の他の一実施の形態にかかる概略正面図および概略平面図である。
【図５】この発明の可撓性伸縮継手の仮固定治具のさらに他の一実施の形態にかかる概略斜視図である。
【図６】この発明の可撓性伸縮継手の仮固定治具の他の一実施の形態にかかる概略斜視図である。
【図７】この発明の可撓性伸縮継手の仮固定治具の一実施の形態にかかる概略斜視図である。
【図８】この発明の可撓性伸縮継手の仮固定治具の他の一実施の形態にかかる概略斜視図である。
【図９】この発明の可撓性伸縮継手の仮固定治具のさらに他の一実施の形態にかかる概略斜視図である。
【図１０】この発明の可撓性伸縮継手の仮固定治具の一実施の形態にかかるそれぞれが概略斜視図である。
【図１１】この発明の可撓性伸縮継手の仮固定治具の他の一実施の形態にかかる概略斜視図である。
【図１２】この発明の可撓性伸縮継手の仮固定治具のさらに他の一実施の形態にかかる概略斜視図である。
【図１３】この発明の可撓性伸縮継手の仮固定治具が適用されるコンクリート構造物用伸縮継手の固定構造にかかる部分拡大斜視図である。
【図１４】この発明の可撓性伸縮継手の仮固定治具が適用されるコンクリート構造物用伸縮継手の固定構造にかかる側面図である。
【図１５】この発明の可撓性伸縮継手の仮固定治具が適用されるコンクリート構造物用伸縮継手の固定構造にかかる側面図である。
【図１６】従来の止水構造の横断面図である。
【図１７】従来の可撓止水構造の横断面図である。
【発明を実施するための形態】
【００６３】
以下、この発明を実施するための形態について、図面に基づき詳細に説明する。
まず、この発明の可撓性伸縮継手の仮固定方法およびこれに用いる仮固定治具により仮固定対象となる可撓性伸縮継手の固定構造について説明する。
可撓性伸縮継手を用いる固定構造２０では、コンクリート構造物２１，２１の目地部２２を跨ぐように可撓性伸縮継手２３が配置される。
この可撓性伸縮継手２３では、円弧部２３ａを備えた伸縮部２３ｂがコンクリート構造物２１，２１に形成した収納部２５内に配置され、両端縁部の碇着部２３ｃを直接アンカーボルト２４で固定するものでなく、碇着部２３ｃに押え部材２７を当てて、アンカーボルト２４で固定部材２８を締め付けるようにし、固定部材２８の先端押圧部を押え部材２７に当てることで固定するようにしたものである。したがって、可撓性伸縮継手２３の碇着部２３ｃにはアンカーボルト２４用の孔は形成されていないものである。
こうすることで、可撓性伸縮継手２３で止水するとともに、目地部２２の両側のコンクリート構造物２１，２１の不等沈下や地震時変位並びに温度変化等に起因する壁部分の伸縮等を許容し、新設するアンカーボルトのボルトピッチに鉄筋などとの干渉防止のためにズレなどが生じても簡単に対応でき、締付け力を分散して均一に固定することができるようにしている。
【００６４】
この固定構造２０に用いられる可撓性の伸縮継手２３は、長尺帯状の幅方向中間部に横断面形状が円弧部２３ａで連続させた略Ｗ字状に蛇行する伸縮部２３ｂを備えるとともに、幅方向両端部に平板状の碇着部２３ｃが設けられてゴムや合成樹脂などの可撓性の弾性部材で構成され、必要に応じて補強層が一層ないし複数層埋設される。このような円弧部２３ａで連続させ、中間部を垂直方向に蛇行させた伸縮継手２３とすることで、従来の水平方向に折り重ねた伸縮継手に比べ、伸縮部２３ｂが変位などで伸張する場合に自重や摩擦などの影響を抑えてスムーズに伸張させることができ、伸縮継手２３自体の損傷を防止することができる。また、伸縮継手２３の内側の円弧部２３ａの曲率をできるだけ大きくすることで変位時の損傷を確実に抑えることができ、変位時に円弧部が伸長する場合の曲げ歪が１００％を越えないようにしている。
【００６５】
この固定構造２０では、コンクリート構造物２１、２１の目地部２２を跨ぐように伸縮継手２３の碇着部２３ｃ、２３ｃが配置されるが、コンクリート構造物２１，２１の目地部２２には、段差部が対向して溝状に形成され、伸縮継手２３の伸縮部２３ｂを収納する収納部２５としてある。この収納部２５により伸縮継手２３の施工高さを抑えることができる。なお、収納部２５の幅および深さは、伸縮継手２３として必要な伸縮部２３ｂの大きさによって定められる。また、伸縮継手の伸縮代によっては、コンクリート構造物２１，２１に形成する収納部２５を省略することもでき、平坦な目地部２２間に伸縮継手を設置しても良い。
【００６６】
可撓性伸縮継手２３は、コンクリート構造物２１、２１の目地部２２上に必要に応じてポリエステルなどの補強布が敷かれ、その上に必要に応じてさらに止水材を介して伸縮継手２３が設置され、この伸縮継手２３の両側の碇着部２３ｃ、２３ｃまでの上部全体を覆うように必要に応じて保護カバー２６が設けられ、この保護カバー２６にも伸縮に対応できる折り畳み部２６ａを設けてある。
【００６７】
そして、この固定構造２０では、可撓性伸縮継手２３の碇着部２３ｃに当てる押え部材２７が用いられ、上方が開口した略コ字状でリップ溝型形状の横断面形状のもので構成され、例えば幅を５０ｍｍ、高さを２５ｍｍ、厚さを２ｍｍ、リップ幅を１０ｍｍとする。このリップ溝型形状の横断面形状により、幅５０ｍｍ、厚さ１６．７ｍｍの平板状とする場合に比べ、同一の剛性を確保しながら、重量を１／３．７３に軽量化することができる。
【００６８】
なお、さらに剛性を上げる必要がある場合には、押え部材２７の溝内に直方体状の補強部材や断面コ字状のＣ型鋼の補強部材などを介在させてアンカーボルトと干渉しない位置でボルトナットで固定したり、溶接などで固定することで、押え部材２７が垂直壁面に配置される場合や天井壁面に配置される場合にもずれることなく、安定して補強することができる。
【００６９】
このような押え部材２７を用いる固定構造２０では、押え部材２７をアンカーボルト２４で直接コンクリート構造物２１、２１に固定することなく、伸縮継手２３の外側に植設するアンカーボルト２４を介して固定部材２８を締め付け、この固定部材２８を介して押え部材２７を固定する。
【００７０】
この固定部材２８は、アンカーボルトにて挿通固定される中間板状部２８ａを備えてアンカーボルト２４用の取り付け穴２８ｂが形成され，この中間板状部２８ａの両側を内側に曲げ起こすように曲げ加工して両側板部２８ｃ、２８ｃが形成してある。これら両側板部２８ｃのそれぞれの先端部に押え部材２７を押える押えアーム部２８ｄが突き出すように形成されるとともに、両側板部２８ｃのそれぞれの基端部に中間板状部２８ａと空間を隔てて同一面をなしコンクリート構造物２１に当接されるように内側に突き出した弾性当接部２８ｆを一体に形成して構成してある。そして、この固定部材２８では、押えアーム部２８ｄの突き出し長さが押え部材２７の溝幅と略同一の長さとされ、押えアーム部２８ｄの先端部は押え部材２７の外側と同一ないし内側に僅かに後退した状態してある。これにより、伸縮継手２３が大きく変位しても固定部材２８の先端部との干渉や損傷を防止できるようにしている。
【００７１】
なお、固定部材２８の押えアーム部２８ｄの先端部を、図１５（ａ）に示すように、押え部材２７の内側に大きく後退させるようにしたり、同図（ｂ）に示すように、天面部を大きな曲率の円弧状に切り欠くようにし、伸縮継手２３が大きく変位しても固定部材２８の先端部との干渉や損傷を一層確実に防止できるようにしてもよい。
【００７２】
この固定部材２８には、押えアーム部２８ｄの下面に押え部材２７の溝内に突き出して係止される係止突出部２８ｅが形成してあり、係止突出部２８ｅが押え部材２７の溝幅と略同一の大きさとされ、係止突出部２８ｅの前後で係止できるようにしてある。
【００７３】
また、この固定部材２８では、中間板状部２８ａの下面から両側板部２８ｃの押えアーム部２８ｄの下面までの距離（側板部の高さに相当）をアンカーボルト２４に締め付けたときに、押え部材２７を介して伸縮継手２３の碇着部２３ｃをコンクリート構造物２１に圧着するのに必要な面圧を発生できるように設定してある。
【００７４】
さらに、この固定構造２０では、可撓性の伸縮継手２３の両端部の碇着部２３cに、押え部材２７を載置して固定部材２８で締め付ける場合のずれを防止するため、碇着部２３ｃに一対の突縁部２３ｄ、２３ｄが形成され、一対の突縁部２３ｄ、２３ｄの間隔を押え部材２７の幅と略同一ないし狭くすることで、伸縮継手２３の可撓性により押え部材２７を挟圧し得るようにしてある。この固定構造２０では、一対の突縁部２３ｄ、２３ｄのうち一方が碇着部２３ｃの外側に形成され上方に突き出す突縁部２３ｄとされ、もう一方が伸縮部２３ｂの外面と兼用してある。
これにより、一対の突縁部２３ｄ、２３ｄで押え部材２７を挟むようにしたり、さらに弾性力で挟むようにすることで、伸縮継手２３に加わる力や変位に対する安定性を向上することができ、一層水圧などに強い構造とすることができる。
【００７５】
このような可撓性伸縮継手２３をコンクリート構造物２１の天面部や側面部に取り付ける場合の仮固定治具３０は、アンカーボルト２４に固定される固定部本体３１と、この固定部本体３１に基端部が回動可能に設けられ先端部に可撓性伸縮継手２３を押える押圧部３２を備える押えアーム部３３と、この押えアーム部３３を回動操作して押圧部３２による押圧状態を保持・開放する押圧保持開放手段３４とを備えて構成してある。
【００７６】
仮固定治具３０の固定部本体３１は、２枚の側板部３１ａ，３１ａの中間部に中間板状部３１ｂが仕切るように配置されて溶接などで取り付けてあり、この中間板状部３１ｂにアンカーボルト２４への固定部となる先端側が開口した挿着溝３１ｃが形成され、アンカーボルト２４のナットを外すことなく挿着できるようにしてある。そして、この固定部本体３１の側板部３１ａ，３１ａの先端面が可撓性伸縮継手２３の設置幅を規制管理するのに利用され、碇着部２３ｃを当てることで、可撓性のある可撓性伸縮継手２３を所定幅に設置することができる。
【００７７】
この固定本体部３１の外側には、押えアーム部３３が２本の略門型状のアーム部材３３ａ，３３ａで構成され、各アーム部材３３ａの基端部がそれぞれピン３３ｂなどで回動可能に取り付けてあり、押えアーム部３３の２本のアーム部材３３ａ，３３ａの先端部には、押圧部３２が円柱状に形成されて両側のアーム部材３３ａ，３３ａを連結するよう取り付けてある。このような略門型状のアーム部材３３ａ，３３ａにより中間部に可撓性伸縮継手２３を固定するための押え部材２７を配置する空間を確保することができるようにしてある。
そして、このような押えアーム部３３を回動して上方に退避させた状態から回動して下方に下ろすようにして可撓性伸縮継手２３の伸縮部２３ｂに押圧部３２を押し付けるようにすることで、仮固定状態にする。
【００７８】
この仮固定状態を保持するため、押圧保持開放手段３４としてトグルリンク機構３５が用いられ、押えアーム部３３のアーム部材３３ａの回動中心となるピン３３ｂの上方に第１リンク３５ａの一端部がピン３５ｂで回動可能に取り付けられるとともに、アーム部材３３ａの回動中心となるピン３３ｂから固定本体部３１の側板部３１ａの横方向に第２リンク３５ｃの一端部がピン３５ｄで回動可能に取り付けられ、これら３本のピン３３ｂ，ピン３５ｂ，ピン３５ｄを結ぶと直角三角形となるように配置してある。そして、第１リンク３５ａの他端部と第２リンク３５ｃの他端部とがピン３５ｅで連結されるとともに、第１リンク３５ａと第２リンク３５ｃが直線状となったときに直角三角形の斜辺を構成するようにしてあり、ピン３５ｅを介して第１リンク３５ａと直角三角形の斜辺から斜めに突き出すように角度をなした一体の操作レバー３５ｆが連結してある。
【００７９】
したがって、操作レバー３５ｆを押し上げるようにすることで、押えアーム部３３を構成するアーム部材３３ａ，３３ａを小さな力で上方に回動させることができる一方、操作レバー３５ｆを押し下げることで、操作レバー３５ｆのピン３５ｅを第１リンク３５ａと第２リンク３５ｃを一直線となる死点に位置させることで、押えアーム３３の先端の押圧部３２で可撓性伸縮継手２３を押えた仮固定状態を外から力を作用させることなく保持することができる。
【００８０】
次に、このような仮固定治具３０を用いる可撓性進出継手２３の仮固定方法および固定設置について天面部に仮固定する場合を示す図２，３により説明する。なお、図１の仮固定治具とは上下が反転することになり、反転状態を基準に説明する。
コンクリート構造物２１の天面部の目地部２２を挟む両側に、それぞれ所定のピッチでアンカーボルト２４を植設する。
そして、アンカーボルト２４の所定間隔ごと、例えば１本おきに仮固定治具３０を取り付けるためナット２４ａをねじ込んでおき、中間板状部３１ｂの挿着溝３１ｃを利用してナット２４ａの上側に中間板状部３１ｂを位置させた後、固定部本体３１の側板部３１ａ，３１ａの先端面が可撓性伸縮継手２３の設置幅となるように位置決めしてナット２４ａで締め付けて固定する。そして、押えアーム部３３を回動させて押圧部３２がコンクリート構造物２１表面から離れた開放状態となるように操作レバー３５ｆを操作しておく。
このような仮固定治具３０を目地部２２を挟む天面部の両側の、例えば１本おきのアンカーボルト２４に対してそれぞれに設置する。
【００８１】
一方、仮固定治具３０の間のアンカーボルト２４には、本固定用の固定部材２８を中間板状部２８ａの取り付け穴２８ｂを介してナット２４ａで緩く取り付けておき、回動させることで可撓性伸縮継手２３の設置面上から退避させておく。
【００８２】
こうして天面部への可撓性伸縮継手の施工の準備を行った後、可撓性伸縮継手２３を天面部に当てるとともに、碇着部２３ｃの外側面を仮固定治具３０の固定本体部３１の両側板部３１ａ，３１ａの先端面に当てた状態で、操作レバー３５ｆを操作して押圧部３２を伸縮部２３ｂに当てて押圧状態にし、両側の仮固定治具３０，３０で仮固定状態を保持することを繰り返す。
【００８３】
これにより、可撓性伸縮継手２３は、伸縮部２３ｂが押えられて仮固定状態となり、碇着部２３ｃも内部の補強層などにより形状が保持され、コンクリート構造物２１の天面部に沿って当てられた状態で保持される。
こうして複数箇所の仮固定治具３０，３０、…で仮固定状態としておき、仮固定治具３０の押えアーム部３３の略門型形状の空間を利用して可撓性伸縮継手２３の碇着部２３ｃ上に押え部材２７を当てるようにし、本固定用の固定部材２８を回動して押えアーム部２８ｄを当てた後、ナット２４ａを締め付けて本固定状態とする。
【００８４】
このような本固定用の固定部材２８による本固定を繰り返した後、仮固定治具３０の操作レバー３５ｆにより開放状態とし、アンカーボルト２４から取り外し、仮固定治具３０が取り外されたアンカーボルト２４に本固定用の固定部材２８を取り付けて本固定状態にすることを繰り返し、可撓性伸縮継手２３の取り付けが完了する。
【００８５】
このような可撓性伸縮継手の仮固定方法および仮固定治具３０によれば、アンカーボルト２４に固定した固定本体部３１に取り付けた押えアーム部３３を回動して先端押圧部３２を当てて可撓性伸縮継手２３を押え、この状態を保持することで、仮固定状態にすることができ、天井部や側面部に対して、アンカーボルト２４で直接固定しない可撓性伸縮継手２３であっても、簡単に仮固定することができ、作業効率良く施工することができる。また、固定本体部３１に当てることや固定位置を規準とすることにより伸縮継手２３の設置幅を規制管理することができる。
【００８６】
また、押えアーム部３３を、碇着部２３ｃに当てる押え部材２７の設置スペースを考慮した形状とすることで、本固定のための作業の邪魔にならず仮固定から円滑に所定の本固定状態にすることができる。
【００８７】
さらに、押えアーム部３３による押圧状態をトグルリンク機構３５で保持することができ、仮固定が簡単にできるとともに、設置後の開放も操作レバー３５ｆの操作で簡単に行うことができる。
【００８８】
また、この可撓性伸縮継手の仮固定治具３０によれば、押えアーム部３３を、2本のアーム部材３３ａ，３３ａで構成し、これらアーム部材３３ａ，３３ａの先端のそれぞれに両内側に突き出して連結した押圧部３２を設けたので、仮固定する押圧部３２の面積を増大でき、一層確実に仮固定することができる。
【００８９】
次に、仮固定治具の他の実施の形態について、図４により説明する。
この仮固定治具４０は、軽量化および構造の簡素化を図ったものであり、固定部本体４１は、金属板を曲げ加工して略コ字状に形成され、上板部４１ａと底板部４１ｂとが連結板４１ｃで連結され、上板部４１ａおよび底板部４１ｂにアンカーボルト２４への挿着溝４１ｄが形成してあり、アンカーボルト２４およびナット２４ａの間に差し込むように挿着して固定できるようにしてある。
【００９０】
この固定部本体４１の底板部４１ｂの先端部（挿着溝４１ｄの開口側）には、上方に折り曲げた幅規制部４１ｅが形成してあり、可撓性伸縮継手２３の碇着部２３ｃを当てることで、設置幅を規制管理することができるようにしてある。
【００９１】
この仮固定治具４０では、先端部に押圧部４２を備えた押えアーム部４３は押圧保持開放手段４４を構成するばね機構４５のばね本体４５ａと一体に構成され、固定部本体４１の底板部４１ｂの延長部４１ｆに弦巻ばねのばね本体４５ａが溶接などで取り付けられ、ばね本体４５ａの両側のばね材４５ｂが略門型状に形成されて押えアーム部４３とされ、ばね材４５ｂの先端部が外側に折り曲げられて押圧部４２としてある。
【００９２】
そして、弦巻ばねのばね本体４５ａの付勢力により、押えアーム部４３の先端の押圧部４２が自然状態では水平面より下方に位置するようにしてあり、水平面に位置した状態で可撓性伸縮継手２３を仮固定できる付勢力を作用させることができるようにしてある。
これにより、押えアーム部４３構成部材と押圧保持開放手段４４のばね機構４５とが兼用されて構成され、構造の簡素化および軽量化を図っている。
【００９３】
また、この、仮固定治具４０には固定部本体４１の底板部４１ｂの両端から略四角形状の取手４６が押えアーム部４３を取り囲むように取り付けてある。
【００９４】
このように構成した仮固定治具４０では、固定部本体４１の挿着溝４１ｄをアンカーボルト２４のナット２４ａとコンクリート構造物２１との間に差し込んで取り付け、可撓性伸縮継手２３の伸縮部２３ｂの端部を押えるように押えアーム部４３をばね機構４５に抗して回動させた状態とした後、ばね力が作用するように放すことで先端の押圧部４２で伸縮部２３ｂを押えることができ、仮固定状態を保持することができる。
なお、押えアーム部４３をばねに抗してセットし、開放する以外は、既に説明した仮固定治具３０と同様に使用して可撓性伸縮継手２３を天面部や側面部に簡単に仮固定することができるとともに、開放して取り外すことができる。
【００９５】
この可撓性伸縮継手の仮固定治具４０によれば、押えアーム部４３を押圧保持開放する手段４４をばねなどの付勢力を用いる付勢手段４５とすることで、締付け力などを必要とせず、簡単に仮固定状態を保持できるとともに、仮固定や開放も付勢力に抗して操作することで簡単に行うことができる。
なお、他の作用・効果については、すでに説明した仮固定治具３０と同様である。
【００９６】
次に、仮固定治具のさらに他の実施の形態について、図５により説明する。
この仮固定治具５０は、構造の一層の簡素化を図ったもので、押圧保持解放手段を省略し、アンカーボルト２４への取り付けによって押圧状態を保持して仮固定するものである。
この仮固定治具５０では、アンカーボルト２４に固定される固定部本体５１を備えており、この固定部本体５１は、アンカーボルト２４側とは反対側が開口した略コ字状に形成され、両側板部５１ａ、５１ａが連結板部５１ｂで連結され、連結板部５１ｂにアンカーボルト２４への挿着穴が形成してあり、ナット２４ａを外したアンカーボルト２４に挿着してナット２４ａで再固定することで取り付けられるようにしてある。
この固定部本体５１の前縁部に、可撓性伸縮継手２３の碇着部２３ｃを当てることで、可撓性伸縮継手２３の設置幅を規制管理することができる。
【００９７】
なお、固定部本体５１の連結板部５１ｂの挿着穴に代えて開口を備えた挿着溝としてアンカーボルト２４およびナット２４ａの間に差し込むことができるようにし、差し込んで挿着固定することで、ナットの着脱の必要をなくすことができるようにしてもよい。
【００９８】
この固定部本体５１の両側板部５１ａ．５１ａには、前方に突き出して先端部に押圧部５２を備えた押えアーム部５３が２本のアーム板５３ａ，５３ａが溶接などで一体に取り付けてあり、２本のアーム板５３ａ，５３ａを連結する押圧部５２を可撓性伸縮継手２３の伸縮部２３ｂに当てることで、仮固定状態にできるようにしてある。
【００９９】
このように構成した仮固定治具５０では、固定部本体５１の挿着穴をナット２４ａを取り外したアンカーボルト２４に取り付け、可撓性伸縮継手２３の伸縮部２３ｂを押えるように押えアーム部５３の押圧部５２を当てて固定部本体５１をアンカーボルト２４にナット２４ａで締め付けることで、仮固定状態を保持することができ、アンカーボルト２４から仮固定治具５０を取り外すことで仮固定を開放することができる。
これにより、押圧保持開放手段を必要とせず、構造の簡素化を図ることができ、従来の紐などを用いて仮固定する場合に比べ、効率よく作業することができ、可撓性伸縮継手を当てることで、その位置決めを行うことができる。
【０１００】
次に、仮固定治具の他の実施の形態について、図６により説明する。
この仮固定治具５０Ａは、上記の仮固定治具５０において可撓性伸縮継手の厚みの変化に柔軟に対応できるようにしたものであり、固定部本体５１の両側板部５１ａ，５１ａと、押えアーム部５３の２本のアーム板５３ａ，５３ａとの間のいずれか一方に長孔５４を形成し、他方にボルト穴５５を形成して固定位置を調整して取りつけることができるようにする。
この仮固定治具５０Ａでは、固定部本体５１の両側板部５３ａ，５３ａに長孔５４を形成し、押えアーム部５３のアーム板５３ａ，５３ａにはボルト穴５５を形成してある。
なお、他の構成は、すでに説明した仮固定治具５０と同一であるので、同一部分には、同一記号を記し、その説明は省略する。
【０１０１】
このように構成した仮固定治具５０Ａでは、予め可撓性伸縮継手２３の伸縮部２３ｂの厚みに応じて固定部本体５１に対する押えアーム部５３の先端部の押圧部５２の位置を調整して長孔５４とボルト穴５５のボルトナット５６で固定しておく。この後、固定部本体５１の挿着穴をナット２４ａを取り外したアンカーボルト２４に取り付け、可撓性伸縮継手２３の伸縮部２３ｂを押えるように押えアーム部５３の押圧部５２を当てて固定部本体５１をアンカーボルト２４にナット２４ａで締め付けることで、仮固定状態を保持し、アンカーボルト２４から仮固定治具５０を取り外すことで仮固定を開放する。
これにより、可撓性伸縮継手２３の厚みの変化に柔軟に対応できるとともに、すでに説明した仮固定治具５０と同様に、押圧保持開放手段を必要とせず、構造の簡素化を図ることができ、従来の紐などを用いて仮固定する場合に比べ、効率よく作業することができるとともに、可撓性伸縮継手の位置決めを行うことができる。
【０１０２】
次に、仮固定治具のさらに他の実施の形態について、図７により説明する。
この仮固定治具５０Ｂは、上記の仮固定治具５０において可撓性伸縮継手の厚みの変化に柔軟に対応できるようにしたものであり、上記仮固定治具５０Ａにおけるボルトナットによる位置調整を簡素化したものである。
この仮固定治具５０Ｂでは、固定部本体５１の両側板部５１ａ，５１ａと、押えアーム部５３の２本のアーム板５３ａ，５３ａとの間のいずれか一方に複数の穴として角穴５７を形成し、他方にこれらの角穴５７のいずれかに嵌合できる角状の突起部５８を形成して互いを嵌合することで、固定位置を調整して取りつけることができるようにしてある。
この仮固定治具５０Ｂでは、固定部本体５１の両側板部５１ａ，５１ａに角穴５７を形成し、押えアーム部５３のアーム板５３ａ，５３ａには角状の突起部５８を形成してある。
なお、他の構成は、すでに説明した仮固定治具５０、５０Ａと同一であるので、同一部分には、同一記号を記し、その説明は省略する。
【０１０３】
このように構成した仮固定治具５０Ｂでは、予め可撓性伸縮継手２３の伸縮部２３ｂの厚みに応じて固定部本体５１に対する押えアーム部５３の先端部の押圧部５２の位置を調整して角穴５７と角状の突起部５８で固定しておく。
この後、固定部本体５１の挿着穴をナット２４ａを取り外したアンカーボルト２４に取り付け、可撓性伸縮継手２３の伸縮部２３ｂを押えるように押えアーム部５３の押圧部５２を当てて固定部本体５１をアンカーボルト２４にナット２４ａで締め付けることで、仮固定状態を保持し、アンカーボルト２４から仮固定治具５０Ｂを取り外すことで仮固定を開放する。
これにより、可撓性伸縮継手２３の厚みの変化に柔軟に対応できるとともに、角穴５７と角状の突起部５８とを嵌合するだけで固定位置を調整することができ、一層簡単に位置調整することができる。また、すでに説明した仮固定治具５０と同様に、押圧保持開放手段を必要とせず、構造の簡素化を図ることができ、従来の紐などを用いて仮固定する場合に比べ、効率よく作業することができるとともに、可撓性伸縮継手の位置決めを行うことができる。
【０１０４】
なお、角状の突起部５８を１つ形成して一つの角穴５７に嵌合する場合に限らず、角状の突起部５８を複数形成し、同時に複数の角穴５７に嵌合することで固定するようにしても良く、一層強固に固定することができる。
【０１０５】
次に、仮固定治具の他の実施の形態について、図８により説明する。
この仮固定治具５０Cは、上記の仮固定治具５０において可撓性伸縮継手の厚みの変化に柔軟に対応できるようにしたものであり、上記仮固定治具５０Ａ、５０Bにおけるボルトナットや角穴と突起部との嵌合による位置調整に比べ、何ら操作を必要とせずに対応できるようにしたものである。
この仮固定治具５０Cでは、固定部本体５１が平板状とされ、アンカーボルト２４の挿着穴（あるいは挿着溝）が設けてあり、先端部に押圧部５２を備える押えアーム部５３がL字状に形成されて押圧部５２に突き出すようになっている。そして、固定部本体５１と押えアーム部５３との間にばね５９として圧縮コイルばねが配置され、固定部本体５１とばね５９の一端部とが溶接などで固定されるとともに、押えアーム部５３とばね５９の他端部とが溶接などで固定され、ばね５９を介して固定部本体５１と押えアーム部５３とが連結されている。
また、この仮固定治具５０Ｃでは、ばね５９で連結された押えアーム部５３のばね伸縮方向以外の動きを規制するため、固定部本体５１にガイドロッド５９ａを溶接などで固定し、このガイドロッド５９ａが挿通されるガイド穴５９ｂを押えアーム部５３に形成することで、押えアーム部５３の傾きを規制できるようにしてある。なお、ガイド穴に代えてガイド筒を押えアーム部５３に溶接などで取り付けてガイドロッド５９ａに沿って摺動させてガイドするようにしても良く、一層確実に傾きなどを規制することができる。
【０１０６】
このように構成した仮固定治具５０Ｃでは、固定部本体５１の挿着穴をナット２４ａを取り外したアンカーボルト２４に取り付け、可撓性伸縮継手２３の伸縮部２３ｂに押えアーム部５３の押圧部５２が当たるように配置して固定部本体５１をアンカーボルト２４にナット２４ａで締め付けることで、可撓性伸縮継手２３の仮固定状態を保持し、アンカーボルト２４から仮固定治具５０Ｃを取り外すことで仮固定を開放する。
これにより、ばね５９により予め可撓性伸縮継手２３の伸縮部２３ｂの厚みに応じて固定部本体５１に対する押えアーム部５３の先端部の押圧部５２の位置を調整することなく可撓性伸縮継手２３の厚みの変化に柔軟に対応できる。
また、すでに説明した仮固定治具５０などと同様に、押圧保持開放手段を必要とせず、構造の簡素化を図ることができ、従来の紐などを用いて仮固定する場合に比べ、効率よく作業することができるとともに、固定部本体５１の前縁部で可撓性伸縮継手の位置決めを行うことができる。
【０１０７】
なお、図示例では、アンカーボルト２４の挿着穴の前方にばね５９を配置するようにしたが、挿着穴の後方にばねを配置するようにしても良く、アンカーボルトの位置と可撓性伸縮継手の碇着部との間隔などに応じて適宜決定すればよい。
【０１０８】
次に、仮固定治具のさらに他の実施の形態について、図９により説明する。
この仮固定治具６０は、既に説明した仮固定治具では、可撓性伸縮継手の一方側のアンカーボルトを利用して片持ち状態で可撓性伸縮継手を仮固定するようにしていたが、可撓性伸縮継手を挟む両側のアンカーボルトを利用して仮固定状態にするものであり、構造の簡素化を図るため押圧保持解放手段を省略し、アンカーボルト２４への取り付けだけで押圧状態を保持して仮固定するものである。
この仮固定治具６０では、アンカーボルト２４に固定される固定部本体６１を備えており、この固定部本体６１は可撓性伸縮継手２３を跨ぐ門型とされ、両端部の支柱部６１ａ，６１ａと、これらを連結する連結部６１ｂとが一体とされている。これら支柱部６１ａ、６１ａはＬ字状に形成されてアンカーボルト２４への挿着穴（あるいは、挿着溝）が形成され、アンカーボルト２４に挿着して固定できるようにしてある。また、連結部６１ｂの中央部には、可撓性伸縮継手２３側に突き出して一体に押圧部６２が設けられており、固定部本体６１の支柱部６１ａ，６１ａをアンカーボルト２４に固定した状態で、押圧部６２で可撓性伸縮継手２３の伸縮部２３ｂを押えて仮固定できる突き出し量としてある。
【０１０９】
このように構成した仮固定治具６０では、固定部本体６１の両支柱部６１ａ，６１ａの挿着穴をナット２４ａを取り外したアンカーボルト２４にそれぞれ取り付け、可撓性伸縮継手２３の伸縮部２３ｂに連結部６１ｂの中央の押圧部６２を当てて固定部本体６１をアンカーボルト２４にナット２４ａで締め付けることで、可撓性伸縮継手２３を仮固定状態を保持することができ、アンカーボルト２４から仮固定治具６０を取り外すことで、可撓性伸縮継手２３の仮固定を開放することができる。
これにより、門型の固定部本体６１で確実に可撓性伸縮継手２３を仮固定状態に保持できるとともに、押圧保持開放手段を必要とせず、構造の簡素化を図ることができ、従来の紐などを用いて仮固定する場合に比べ、効率よく作業することができ、固定部本体６１の前縁部に可撓性伸縮継手２３の碇着部２３ｃ，２３ｃを当てることで、両側で同時にその位置決めを行うことができる。
【０１１０】
次に、仮固定治具の他の実施の形態について、図１０（ａ）、（ｂ）により説明する。
この仮固定治具６０Ａ，６０Ｂは、既に説明した上記の仮固定治具６０において可撓性伸縮継手の厚みの変化に柔軟に対応できるようにしたものであり、（ａ）では、固定部本体６１の支柱部６１ａ，６１ａと連結部６１ｂとの間、あるいは、（ｂ）では、連結部６１ｂと押圧部６２との間で、いずれか一方に長孔６４を形成し、他方にボルト穴６５を形成して押圧部６２の固定位置を調整してボルトナット６６で固定できるようにしてある。
この仮固定治具６０Ａでは、固定部本体６１の両支柱部６１ａ，６１ａに長孔６４を形成し、連結部６１ｂにボルト穴６５を形成してある。
なお、他の構成は、すでに説明した仮固定治具６０と同一であるので、同一部分には、同一記号を記し、その説明は省略する。
また、この仮固定治具６０Ｂでは、固定部本体６１の連結部６１ｂに長孔６４を形成し、押圧部６２にボルト穴６５を形成してある。
なお、他の構成は、すでに説明した仮固定治具６０と同一であるので、同一部分には、同一記号を記し、その説明は省略する。
【０１１１】
このように構成した仮固定治具６０Ａ，６０Ｂでは、予め可撓性伸縮継手２３の伸縮部２３ｂの厚みに応じて、固定部本体６１の支柱部６１ａ，６１ａをアンカーボルト２４に固定した状態で、押圧部６２が可撓性伸縮継手２３の伸縮部２３ｂに当たって仮固定できる突き出し量となるように長孔６４とボルト穴６５のボルトナット６６で固定しておく。この後、固定部本体６１の両支柱部６１ａ，６１ａの挿着穴を、ナット２４ａを取り外したアンカーボルト２４にそれぞれ取り付け、可撓性伸縮継手２３の伸縮部２３ｂに連結部６１ｂの中央の位置調整した押圧部６２を当てて固定部本体６１をアンカーボルト２４にナット２４ａで締め付けることで、可撓性伸縮継手２３を仮固定状態に保持する一方、アンカーボルト２４から仮固定治具６０Ａ，６０Ｂを取り外すことで、可撓性伸縮継手２３の仮固定を開放することができる。
これにより、可撓性伸縮継手２３の厚みの変化に柔軟に対応できるとともに、すでに説明した仮固定治具６０と同様に、門型の固定部本体６１で確実に可撓性伸縮継手２３を仮固定状態に保持できるとともに、押圧保持開放手段を必要とせず、構造の簡素化を図ることができ、従来の紐などを用いて仮固定する場合に比べ、効率よく作業することができ、固定部本体６１の前縁部に可撓性伸縮継手２３の碇着部２３ｃ，２３ｃを当てることで、両側で同時にその位置決めを行うことができる。
【０１１２】
次に、仮固定治具のさらに他の実施の形態について、図１１により説明する。
この仮固定治具７０は、アンカーボルトへの固定と可撓性伸縮継手の仮固定とを別工程で行うことができるようにしたものであり、予め仮固定治具を設置した後、可撓性伸縮継手をアンカーボルトと平行な軸回りの回動操作で押えて仮固定できるようにしている。
この仮固定治具７０では、固定部本体７１が平板状とされ、アンカーボルト２４の挿着穴（あるいは挿着溝）が設けてあり、先端部に押圧部７２を備える押えアーム部７３がL字状に形成されて押圧部７２が突き出すようになっている。
そして、固定部本体７１のアンカーボルトの挿着穴の後方にアンカーボルト２４と平行なねじ部材としてねじ軸７４が溶接などで固定部本体７１から突き出すように取り付けてあり、このねじ軸７４にねじ込まれた上下２つのナット７５の間に押えアーム部７３が装着されて回動可能に取り付けてある。なお、ねじ軸７４に取り付ける上下２つのナットのうち、内側（固定部本体側）のナットを可撓性伸縮継手の厚みに対応して移動するのに代え、溶接などでナットなどを固定した固定台としても良い。
また、この仮固定治具７０では、回動可能とされた押えアーム部７３の基端部に、回動操作用のハンドル部７６が溶接などで延長され、端部に操作部７７が設けてある。なお、押えアーム部７３とハンドル部７６を別部材として溶接などで取り付けるほか、一つの部材で一体としても良い。
【０１１３】
このように構成した仮固定治具７０では、固定部本体７１の挿着穴をナット２４ａを取り外したアンカーボルト２４に取り付け、再びナット２４ａで締め付けることで固定するが、この状態では、押えアーム部７３の押圧部７２が可撓性伸縮継手２３の伸縮部２３ｂ上から退避した状態となるようにねじ軸７４を中心に回動させておく。
この後、可撓性伸縮継手２３を目地部に配置した時、伸縮部２３ｂに押えアーム部７３の押圧部７２が当たるようにハンドル部７６の操作部７７で回動操作し、可撓性伸縮継手２３を押えて仮固定状態を保持する。一方、アンカーボルト２４から仮固定治具７０の押えアーム部７３を退避させるように回動操作して仮固定を開放し、この後、アンカーボルト２４から固定部本体７１を取り外すことで仮固定治具７０の撤去が終了する。
これにより、ハンドル部７６および操作部７７による回動操作で簡単に可撓性伸縮継手２３の仮固定と開放ができ、仮固定状態の保持のための機構もねじ軸７４とナット７５で構成でき、複雑な機構の押圧保持開放手段を必要とせず、構造の簡素化を図ることができ、従来の紐などを用いて仮固定する場合に比べ、効率よく作業することができるとともに、固定部本体７１の前縁部で可撓性伸縮継手の位置決めを行うことができる。
【０１１４】
なお、図示例では、アンカーボルト２４の挿着穴の後方にねじ軸７４を配置するようにしたが、挿着穴の前方にねじ軸を配置するようにしても良く、アンカーボルトの位置と可撓性伸縮継手の碇着部との間隔などに応じて適宜決定すればよい。
【０１１５】
次に、仮固定治具の他の実施の形態について、図１２により説明する。
この仮固定治具８０は、これまでの仮固定治具では、可撓性伸縮継手２３の伸縮部２３ｂを押えることで仮固定状態とするのに代え、端縁部の碇着部２３ｃを押えて仮固定状態にするもので、一層の軽量化および簡素化を図ったもので、押圧保持解放手段を省略し、アンカーボルト２４への取り付けによって押圧状態を保持して仮固定するものである。
この仮固定治具８０では、アンカーボルト２４に固定される固定部本体８１を備えており、この固定部本体８１は、アンカーボルト２４側とは反対側が開口した略コ字状に形成され、両側板部８１ａ、８１ａが連結板部８１ｂで連結され、連結板部８１ｂにアンカーボルト２４への挿着穴が形成してあり、ナット２４ａを外したアンカーボルト２４に挿着してナット２４ａで再固定することで取り付けられるようにしてある。
この固定部本体８１の前縁部に、可撓性伸縮継手２３の碇着部２３ｃを当てることで、可撓性伸縮継手２３の設置幅を規制管理することができる。
【０１１６】
なお、固定部本体８１の連結板部８１ｂの挿着穴に代えて開口を備えた挿着溝としてアンカーボルト２４およびナット２４ａの間に差し込むことができるようにし、差し込んで挿着固定することで、ナットの着脱の必要をなくすことができるようにしてもよい。
【０１１７】
この固定部本体８１の両側板部８１ａ、８１ａには、前方に突き出して先端部に押圧部８２を備えた押えアーム部８３が２本のアーム板８３ａ，８３ａが溶接などで一体に取り付けてあり、２本のアーム板８３ａ，８３ａを連結する押圧部８２を可撓性伸縮継手２３の碇着部２３ｃに当てることで、仮固定状態にできるようにしてある。
【０１１８】
このように構成した仮固定治具８０では、固定部本体８１の挿着穴をナット２４ａを取り外したアンカーボルト２４に取り付け、可撓性伸縮継手２３の碇着部２３ｃを押えるように押えアーム部８３の押圧部８２を当てて固定部本体８１をアンカーボルト２４にナット２４ａで締め付けることで、仮固定状態を保持することができ、アンカーボルト２４から仮固定治具８０を取り外すことで仮固定を開放することができる。
これにより、押えアーム部８３の突き出し量を短くすることができ、軽量化および簡素化を図ることができるとともに、押圧保持開放手段を必要とせず、従来の紐などを用いて仮固定する場合に比べ、効率よく作業することができ、可撓性伸縮継手を当てることで、その位置決めを行うことができる。
【０１１９】
なお、上記実施の形態では、可撓性の伸縮継手として中間部に伸縮部として略Ω上に折り畳んだ伸縮部を備えた可撓性の伸縮継手を例に説明したが、これに限らず、伸縮部を３つや５つの円弧部で連続する略Ｗ字状の横断面形状のものなど他の横断面形状の可撓性の伸縮継手に対しても同様に適用することができる。
【符号の説明】
【０１２０】
３０    仮固定治具
３１    固定部本体
３１ａ  側板部
３１ｂ  中間板状部
３１ｃ  挿着溝
３２    押圧部
３３    押えアーム部
３３ａ  アーム部材
３３ｂ  ピン
３４    押圧保持開放手段
３５    トグルリンク機構
３５ａ  第１リンク
３５ｂ  ピン
３５ｃ  第２リンク
３５ｄ  ピン
３５ｅ  ピン
３５ｆ  操作レバー
４０    仮固定治具
４１    固定部本体
４１ａ  上板部
４１ｂ  底板部
４１ｃ  連結板
４１ｄ  挿着溝
４１ｅ  幅規制部
４１ｆ  延長部
４２    押圧部
４３    押えアーム部
４４    押圧保持開放手段
４５    ばね機構
４５ａ  ばね本体
４５ｂ  ばね材
４６    取手
５０    仮固定治具
５１    固定部本体
５１ａ  側板部
５１ｂ  連結板部
５２    押圧部
５３    押えアーム部
５３ａ  アーム板
５０Ａ  仮固定治具
５１    固定部本体
５２    押圧部
５３    押えアーム部
５４    長孔
５５    ボルト穴
５６    ボルトナット
５０Ｂ  仮固定治具
５１    固定部本体
５２    押圧部
５３    押えアーム部
５７    角穴
５８    角状の突起部
５０Ｃ  仮固定治具
５１    固定部本体
５２    押圧部
５３    押えアーム部
５９    ばね
５９ａ  ガイドロッド
５９ｂ  ガイド穴
６０    仮固定治具
６１    固定部本体
６１ａ  支柱部
６１ｂ  連結部
６２    押圧部
６０Ａ  仮固定治具
６１    固定部本体
６１ａ  支柱部
６１ｂ  連結部
６２    押圧部
６４    長孔
６５    ボルト穴
６６    ボルトナット
６０Ｂ  仮固定治具
６１    固定部本体
６１ａ  支柱部
６１ｂ  連結部
６２    押圧部
６４    長孔
６５    ボルト穴
６６    ボルトナット
７０    仮固定治具
７１    固定部本体
７２    押圧部
７３    押えアーム部
７４    ねじ軸（ねじ部材）
５５    ナット
７６    ハンドル部
７７    操作部
８０    仮固定治具
８１    固定部本体
８１ａ  側板部
８１ｂ  連結板部
８２    押圧部
８３    押えアーム部
８３ａ  アーム板
２０    コンクリート構造物用伸縮継手の固定構造（固定構造）
２１    コンクリート構造物
２２    目地部
２３    可撓性の伸縮継手
２３ａ  円弧部
２３ｂ  伸縮部
２３ｃ  碇着部
２３ｄ  突縁部
２４    アンカーボルト
２４ａ  ナット
２５    収納部
２６    保護カバー
２６ａ  折り畳み部
２７    押え部材
２７ａ  補強部材
２７ｂ  補強部材
２７ｃ  ボルトナット
２８    固定部材
２８ａ  中間板状部
２８ｂ  取り付け穴
２８ｃ  両側板部
２８ｄ  押えアーム部
２８ｅ  係止突出部
２８ｆ  弾性当接部
【図１】
0005842219.tif 000002
【図２】
0005842219.tif 000003
【図３】
0005842219.tif 000004
【図４】
0005842219.tif 000005
【図５】
0005842219.tif 000006
【図６】
0005842219.tif 000007
【図７】
0005842219.tif 000008
【図８】
0005842219.tif 000009
【図９】
0005842219.tif 000010
【図１０】
0005842219.tif 000011
【図１１】
0005842219.tif 000012
【図１２】
0005842219.tif 000013
【図１３】
0005842219.tif 000014
【図１４】
0005842219.tif 000015
【図１５】
0005842219.tif 000016
【図１６】
0005842219.tif 000017
【図１７】
0005842219.tif 000018